【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
ガスタービンシステムを備えたシステムであって、
前記ガスタービンシステムが、
タービン燃焼器と、
前記タービン燃焼器からの燃焼生成物により駆動されるタービンと、
前記タービンにより駆動され、排気ガスを圧縮して前記タービン燃焼器に供給するよう構成された排気ガス圧縮機と、
排気ガス再循環経路に沿って前記排気ガスを前記タービンから前記排気ガス圧縮機に再循環するよう構成された排気ガス再循環（ＥＧＲ）システムと、
圧縮酸化剤を前記ガスタービンシステムに供給するよう構成された主酸化剤圧縮システムと、を備え、前記主酸化剤圧縮システムが、
第１の酸化剤圧縮機と、
前記ガスタービンシステムの第１の作動速度と異なる第１の速度で前記第１の酸化剤圧縮機が動作できるように構成された第１のギアボックスと、
前記主酸化剤圧縮システムが、前記ガスタービンシステムによって少なくとも部分的に駆動され、
該主酸化剤圧縮システムが、第１の酸化剤圧縮機と第２の酸化剤圧縮機とを備えた複数の圧縮段を有し、第１の酸化剤圧縮機が前記第１のギアボックスを介してガスタービンシステムによって駆動され、前記システムがさらに、
前記ガスタービンのシャフトに連結された発電機であって、前記第１の酸化剤圧縮機が前記第１のギアボックスを介して該発電機に連結されている発電機と、
前記第２の酸化剤圧縮機に連結された駆動装置であって、蒸気タービンまたは電気モータを備えている駆動装置と、
前記第２の酸化剤圧縮機と前記駆動装置を結合する第２のギアボックスであって、前記第２の酸化剤圧縮機が前記駆動装置の第２の作動速度と異なる第２の速度で動作できるようにするように構成されている第２のギアボックスと、備えている、
ことを特徴とするシステム。
【請求項２】
前記第１のギアボックスが、互いにほぼ平行な入力シャフトと出力シャフトとを有する平行軸ギアボックスを有し、前記入力シャフトが、前記ガスタービンシステムの軸線と一直線状であり、前記出力シャフトが、前記第１の酸化剤圧縮機に駆動結合される、又は、
前記第１のギアボックスが、互いに且つ前記ガスタービンシステムの軸線と一直線状になった入力シャフトと出力シャフトとを有する遊星ギアボックスを有し、前記出力シャフトが、記第１の酸化剤圧縮機に駆動結合されている、
請求項１に記載のシステム。
【請求項３】
前記酸化剤中において約０．９５〜１．０５の燃料対酸素の燃焼等量比で燃料／酸化剤混合気を燃焼させるよう構成されたタービン燃焼器を有する量論的燃焼システムと、
前記ガスタービンシステムに連結された熱回収蒸気発生器（ＨＲＳＧ）であって、前記排気ガスからの熱を給水に伝達することによって蒸気を発生するよう構成されているＨＲＳＧと、を備え、
前記ＨＲＳＧが、蒸気タービンを有する蒸気タービン発電機に流体連結され、前記蒸気タービンが、前記第２のギアボックスを介して前記第２の酸化剤圧縮機を駆動するよう構成され、
前記ＥＧＲシステムが、前記排気ガスを前記タービンから前記ＨＲＳＧを通って前記排気ガス圧縮機に戻すように構成され、
前記ＥＧＲシステムが、
前記排気ガスを前記排気ガス圧縮機に向けて移動させるよう構成されたブロアと、
前記排気ガスを冷却するよう構成された冷却器と、
前記排気ガスから湿分を除去するよう構成された除湿ユニットと、を有している、
請求項１に記載のシステム。
【請求項４】
前記主酸化剤圧縮システムが、大気空気、体積で約２１％〜８０％の酸素を有する酸素富化空気、体積で約１％〜２１％の酸素を有する低酸素空気として、または体積で８０％よりも多い酸素を含む実質的に純酸素として前記圧縮酸化剤を供給するよう構成される、
請求項１に記載のシステム。
【請求項５】
ガスタービンシステムを備えたシステムであって、前記ガスタービンシステムが、
タービン燃焼器と、
前記タービン燃焼器からの燃焼生成物により駆動されるタービンと、
前記タービンにより駆動され、排気ガスを圧縮して前記タービン燃焼器に供給するよう構成された排気ガス圧縮機と、
排気ガス再循環経路に沿って前記排気ガスを前記タービンから前記排気ガス圧縮機に再循環するよう構成された排気ガス再循環（ＥＧＲ）システムと、
圧縮酸化剤を前記ガスタービンシステムに供給するよう構成された主酸化剤圧縮システムと、を備え、
前記主酸化剤圧縮システムが、
第１の酸化剤圧縮機と、
第２の酸化剤圧縮機と、を有し、
前記第１の酸化剤圧縮機が前記ガスタービンシステムによって駆動され、
前記第２の酸化剤圧縮機が前記ガスタービンシステムとは別の駆動装置によって駆動される、
ことを特徴とするシステム。
【請求項６】
前記第１の酸化剤圧縮機の酸化剤出口が、前記第２の酸化剤圧縮機の酸化剤入口に流体結合されている、
請求項５に記載のシステム。
【請求項７】
前記タービンが、前記第１の酸化剤圧縮機に連結されたシャフトを回転させ、前記第１の酸化剤圧縮機を駆動するように構成されている、
請求項６に記載のシステム。
【請求項８】
前記第１及び第２の酸化剤圧縮機の間で酸化剤流路に沿って配置された段間冷却システムを備える、
請求項６に記載のシステム。
【請求項９】
前記段間冷却システムが、前記酸化剤流路に沿ってスプレを出力するよう構成されたスプレシステムを有している、
請求項８に記載のシステム。
【請求項１０】
前記第１および第２の酸化剤圧縮機が、平行に前記ガスタービンシステムに連結されている、
請求項５に記載のシステム。
【請求項１１】
スタービンシステムを備えたシステムであって、前記ガスタービンシステムが、
タービン燃焼器と、
前記タービン燃焼器からの燃焼生成物により駆動されるタービンと、
前記タービンにより駆動され、排気ガスを圧縮して前記タービン燃焼器に供給するよう構成された排気ガス圧縮機と、
排気ガス再循環経路に沿って前記排気ガスを前記タービンから前記排気ガス圧縮機に再循環するよう構成された排気ガス再循環（ＥＧＲ）システムと、
前記排気ガス圧縮機とは別の主酸化剤圧縮システムであって、圧縮酸化剤を前記ガスタービンシステムに供給するよう構成され、第１および第２の酸化剤圧縮機を備え、第１の酸化剤圧縮機が前記ガスタービンシステムによって駆動される主酸化剤圧縮システムと、
前記ガスタービンシステムに結合され、前記排気ガスからの熱を給水に伝達することによって蒸気を発生するよう構成された熱回収蒸気発生器（ＨＲＳＧ）であって、前記排気ガス再循環経路が前記ＨＲＳＧを通って延びている熱回収蒸気発生器（ＨＲＳＧ）と、
前記ＨＲＳＧからの蒸気によって少なくとも部分的に駆動され、凝縮液を給水の少なくとも一部として前記ＨＲＳＧに戻すように構成された蒸気タービンとを備え、
前記蒸気タービンが前記主酸化剤圧縮システムの第２の酸化剤圧縮機を駆動するように構成されている、
ことを特徴とするシステム。
【請求項１２】
前記主酸化剤圧縮システムの第１の酸化剤圧縮機が、前記ガスタービンシステムのシャフトラインに沿って配置されている、
請求項１１に記載のシステム。
【請求項１３】
前記主酸化剤システムの第１の酸化剤圧縮機と第２の酸化剤圧縮機が、直列圧縮構成である、
請求項１１に記載のシステム。
【請求項１４】
前記主酸化剤システムの第１の酸化剤圧縮機と第２の酸化剤圧縮機が、並列圧縮構成である、
請求項１１に記載のシステム。
【請求項１５】
前記ガスタービンシステムに結合された排気ガス抽出システムであって、前記ガスタービンシステムから前記排気ガスの一部を除去するように構成され、前記排気ガスの一部における酸素の濃度を低減するよう構成された触媒を有している排気ガス抽出システムと、
前記排気ガス抽出システムに流体結合された炭化水素生成システムであって、原油二次回収のための加圧流体として前記排気ガスの一部を利用するよう構成されている炭化水素生成システムと、を備えている、
請求項１１に記載のシステム。
【請求項１６】
約０．９５〜１．０５の燃料対酸素の燃焼等量比で燃料／酸化剤混合気を燃焼させるよう構成されたタービン燃焼器を有する量論的燃焼システムを備えている、
請求項１１にシステム。
【請求項１７】
前記主酸化剤圧縮システムの第１及び第２の酸化剤圧縮機の間で酸化剤流路に沿って配置された段間冷却システムを備える、
請求項１１に記載のシステム。